(57)【要約】      （修正有）【課題】フレームの大きさが異なる額縁であっても絵画等の作品を容易に固定でき、かつ固定されていた絵画等の作品を額縁から容易に取り外すことが可能な留め具を提供する。【解決手段】留め具１は、Ｖ字状又はＵ字状のバネ部材１０と、バネ部材１０の一方の端部に略垂直に接続された平板状の押さえ部材２０とを有する。押さえ部材２０には、貫通孔２５が形成されていることが好ましい。留め具１は、絵画等の作品を額縁に固定するのに好適である。【選択図】図１
0003188390.tif 000002
【実用新案登録請求の範囲】
【請求項１】
Ｖ字状又はＵ字状のバネ部材と、前記バネ部材の一方の端部に略垂直に接続された平板状の押さえ部材とを有する留め具。
【請求項２】
前記押さえ部材には、貫通孔が形成されている請求項１に記載の留め具。
【考案の詳細な説明】
【技術分野】
【０００１】
本考案は、絵画等の作品を額縁に固定するのに好適な留め具に関する。
【背景技術】
【０００２】
従来、絵画を額縁に固定する方法としては、絵画の木枠をネジで額縁のフレームに直接取り付ける方法が採られている。ところが、絵画の展覧会では、展覧会の開催者が額縁を準備し、画家が絵画を持ち込むケースが多く、展覧会のたびに、絵画の木枠をネジで額縁のフレームに取り付け、展覧会が終わるとそのネジを取り外す必要がある。そのネジの着脱作業はとても面倒であるばかりか、何度も行っていると絵画の木枠が穴だらけになってしまう。
【０００３】
特許文献１には、ドライバー等の工具を使ってネジを締める操作を必要とせず、手で容易且つ迅速に絵を額縁に固定できる絵枠固定具が記載されている。その絵枠固定具は、枠支持金具と枠押え金具とからなり、枠支持金具は額縁の内側フレーム部に脱着自在に係止できる係止部を有する基板に細長の掛止片を設け、同掛止片の先端を折曲させた構成を有し、又枠押え金具は細長の金具板の一方の端部を傾斜状に折曲させ、同傾斜部に枠支持金具の掛止片を挿入できる掛止片板厚より僅か大きい巾の開口部を設け、又金具板の他端付近に絵枠押え突起を設けた構成を有し、枠押え金具の開口部に枠支持金具の掛止片を挿入したものである。
【先行技術文献】
【特許文献】
【０００４】
【特許文献１】実開平６−８１３６４号公報
【考案の概要】
【考案が解決しようとする課題】
【０００５】
しかし、額縁のフレームの大きさは額縁によって少しずつ異なり、絵画をセットする際には額縁のフレームと絵画の木枠との隙間を埋める必要がある。換言すれば、その隙間を埋めない状態では絵画が額縁の中でぐらついてしまい、固定することができない。特許文献１に記載された絵枠固定具は、その点が考慮されていない。
【０００６】
そこで、本考案は、フレームの大きさが異なる額縁であっても絵画等の作品を容易に固定でき、かつ固定されていた絵画等の作品を額縁から容易に取り外すことが可能な留め具を提供することを目的とする。
【課題を解決するための手段】
【０００７】
本考案は、Ｖ字状又はＵ字状のバネ部材と、前記バネ部材の一方の端部に略垂直に接続された平板状の押さえ部材とを有する留め具である。
【考案の効果】
【０００８】
本考案によれば、フレームの大きさが異なる額縁であっても絵画等の作品を容易に固定でき、かつ固定されていた絵画等の作品を額縁から容易に取り外すことが可能な留め具を提供できる。
【図面の簡単な説明】
【０００９】
【図１】本考案の一実施形態に係る留め具の構成を示す斜視図である。
【図２】本考案の一実施形態に係る留め具の構成を示す正面図である。
【図３】本考案の一実施形態に係る留め具を用いて絵画を額縁に固定した状態を示す断面図である。
【考案を実施するための形態】
【００１０】
本考案の一実施形態に係る留め具の構成を図１及び図２に示す。図１及び図２に示す留め具１は、Ｖ字状のバネ部材１０と、バネ部材１０の一方の端部に略垂直に接続された平板状の押さえ部材２０とを有する。なお、本考案に係る留め具は、絵画等の作品を額縁に固定するのに好適であることから、以下、留め具１を用いて絵画を額縁に固定した状態である図３を参照しつつ、本考案を説明する。
【００１１】
留め具１の材質としては、鋼、炭素鋼、ステンレス等の金属；ポリプロピレン、ＰＥＴ、ポリカーボネート等のプラスチックが挙げられる。留め具１の厚さＴは、留め具１の材質を考慮し、上記の機能を発揮するように適宜設定することができるが、０．１〜０．７ｍｍとすることが好ましく、０．２〜０．４ｍｍとすることがより好ましく、例えば０．３ｍｍとすることができる。留め具１の幅Ｗは、５〜３０ｍｍとすることが好ましく、１０〜２０ｍｍとすることがより好ましく、例えば１５ｍｍとすることができる。
【００１２】
バネ部材１０の形状は、Ｖ字状又はＵ字状とする。こうすることで、バネ部材１０が額縁２のフレーム２ａと絵画３の木枠３ａとの間でバネのような機能を発揮し、絵画３の木枠３ａを額縁２のフレーム２ａ内に固定することができる。
【００１３】
バネ部材１０の両端部の間隔Ｌ１は、額縁のフレームと絵画の木枠との隙間を考慮して適宜設定することができるが、３〜２０ｍｍとすることが好ましく、６〜１０ｍｍとすることがより好ましく、例えば８ｍｍとすることができる。バネ部材１０の高さＨは、額縁のフレームや絵画の木枠の大きさを考慮して適宜設定することができるが、５〜２５ｍｍとすることが好ましく、１０〜２０ｍｍとすることがより好ましく、例えば１５ｍｍとすることができる。
【００１４】
バネ部材１０の折れ曲がり部（Ｖ字又はＵ字の頂点部分）は、所定の曲率を持っていることが好ましい。その曲率半径Ｒは、０．３〜２ｍｍとすることが好ましく、０．６〜１ｍｍとすることがより好ましく、例えば０．８ｍｍとすることができる。Ｖ字状のバネ部材１０の場合、その頂角θ１は、５〜４５°とすることが好ましく、１５〜３５°とすることがより好ましく、例えば２４°とすることができる。
【００１５】
押さえ部材２０は、平板状であり、バネ部材１０の一方の端部に略垂直に接続されている。こうすることで、押さえ部材２０により絵画３の木枠３ａを背面側から押さえつけることができる。なお、バネ部材１０の他方の端部は、何も接続されていないフリーな状態であることが好ましい。
【００１６】
押さえ部材２０とバネ部材１０の一方の端部とで形成する角度θ２は、押さえ部材２０により絵画３の木枠３ａを背面側から押さえつけることが可能な範囲で適宜設定することができ、６０〜１２０°とすることが好ましく、８０〜１００°とすることがより好ましく、例えば９０°とすることができる。
【００１７】
押さえ部材２０の長さＬ２は、絵画の木枠の大きさを考慮して適宜設定することができるが、５〜２５ｍｍとすることが好ましく、１０〜２０ｍｍとすることがより好ましく、例えば１５ｍｍとすることができる。
【００１８】
押さえ部材２０には、貫通孔２５が形成されていることが好ましい。貫通孔２５が形成されていれば、留め具１の押さえ部材２０を、絵画３の木枠３ａにネジ５を用いて固定することができる。このように留め具１を絵画３の木枠３ａに予め固定しておけば、展覧会の開催者が準備した額縁２のフレーム２ａ内に絵画３をはめ込むだけでセットが完了するようになる。
【００１９】
留め具１を用いて絵画を額縁に固定する際には、絵画の４辺のそれぞれに留め具１を少なくとも１個用いることが好ましく、長い辺においては、留め具１を２〜３個用いることが好ましい。こうすることで、絵画を額縁のフレーム内の中心に固定することができる。すなわち、１つの絵画を額縁に固定するために、４個、６個、８個、１０個、又は１２個の留め具１を用いる場合が多いので、このような数の留め具１をセットにすることが好ましい。さらに、予備として１〜２個多い数の留め具１をセットにすることも好ましい。
【００２０】
以上のような本考案に係る留め具を用いることで、フレームの大きさが異なる額縁であっても絵画等の作品を容易に固定でき、かつ固定されていた絵画等の作品を額縁から容易に取り外すことができる。さらに、本考案に係る留め具は、何度も繰り返し用いることができ、絵画及び額縁を傷付けにくいという特長もある。
【００２１】
なお、本考案に係る留め具は、絵画等の作品を額縁に固定するための留め具として好適であるが、隙間を埋めて固定するものであれば他の用途にも用いることができる。
【符号の説明】
【００２２】
１    留め具
２    額縁
２ａ  フレーム
３    絵画
３ａ  木枠
５    ネジ
１０  バネ部材
２０  押さえ部材
２５  貫通孔
【図１】
0003188390.tif 000003
【図２】
0003188390.tif 000004
【図３】
0003188390.tif 000005